(57)【要約】【課題】透析効率および除水効率を上げることで透析治療にかかる時間を短縮させ、かつ、治療コストを抑えることが可能な腹膜透析装置およびこれを用いた腹膜透析方法を提供する。【解決手段】患者の腹腔内の腹膜透析液を注入および排出しうるカテーテルと、該カテーテルに接続される腹膜透析液回路２と、該腹膜透析液回路２上に設けられる透析器３とを有してなり、該透析器３には内部を通過する腹膜透析液が中空糸膜を介して血液透析液に接しうるように血液透析液回路４が接続されてなる腹膜透析装置１において、該腹膜透析液回路２上の透析器３よりもカテーテル接続端側に、腹膜透析液中の浸透圧剤濃度を測定しうる手段５が設けられてなり、該血液透析液回路４には前記手段５により測定される浸透圧剤濃度に応じて腹膜透析液から除水を行う機構６が設けられてなることを特徴とする腹膜透析装置１、および該腹膜透析装置１を用いた腹膜透析方法。【選択図】　　　図１
2004049350.tif 000002
【特許請求の範囲】
【請求項１】
患者の腹腔内の腹膜透析液を注入および排出しうるカテーテルと、該カテーテルに接続される腹膜透析液回路と、該腹膜透析液回路上に設けられる透析器とを有してなり、該透析器には内部を通過する腹膜透析液が中空糸膜を介して血液透析液に接しうるように血液透析液回路が接続されてなる腹膜透析装置において、該腹膜透析液回路上の透析器よりもカテーテル接続端側に、腹膜透析液中の浸透圧剤濃度を測定しうる手段が設けられてなり、該血液透析液回路には前記手段により測定される浸透圧剤濃度に応じて腹膜透析液から除水を行う機構が設けられてなることを特徴とする腹膜透析装置。
【請求項２】
前記浸透圧剤濃度を測定しうる手段は、超音波測定装置、屈折率計、吸光度計、導電率計からなる群から選択された少なくとも１種の手段である請求項１記載の腹膜透析装置。
【請求項３】
腹膜透析液からの除水は、透析器を介して行われるものである請求項１又は２記載の腹膜透析装置。
【請求項４】
腹膜透析液から除水を行う機構は、血液透析液回路に設けられたポンプにより除水するものである請求項１〜３のいずれかに記載の腹膜透析装置。
【請求項５】
前記浸透圧剤は、透析器の中空糸膜を通過しないものである請求項１〜４のいずれかに記載の腹膜透析装置。
【請求項６】
前記浸透圧剤は、アルブミン、グルコースポリマーおよびデキストランからなる群から選択された少なくとも１種の化合物である請求項１〜５のいずれかに記載の腹膜透析装置。
【請求項７】
患者の腹腔内の腹膜透析液を注入および排出しうるカテーテルと、該カテーテルに接続される腹膜透析液回路と、該腹膜透析液回路上に設けられる透析器とを有してなり、該透析器には内部を通過する腹膜透析液が中空糸膜を介して血液透析液に接しうるように血液透析液回路が接続されてなる腹膜透析装置を用いた腹膜透析方法であって、
（ａ）患者から腹膜透析液を取り出して、該腹膜透析液中の浸透圧剤濃度ｃ１を測定し、
（ｂ）該腹膜透析液中の浸透圧剤濃度ｃ１が、所定の浸透圧剤濃度ｃ２になるために必要な腹膜透析液からの除水量ｕｆ１を算出し、
（ｃ）算出された除水量ｕｆ１に相当する水分を、腹膜透析液から透析器を介して除水した後、
（ｄ）該腹膜透析液を患者に再度注入する腹膜透析方法。
【請求項８】
前記腹膜透析液中の浸透圧剤濃度の測定は、該腹膜透析液回路上の透析器よりもカテーテル接続端側に設けられた、超音波測定装置、屈折率計、吸光度計、導電率計からなる群から選択された少なくとも１種の手段により行われるものである請求項７記載の腹膜透析方法。
【請求項９】
前記腹膜透析液からの除水は、血液透析液回路に設けられたポンプにより除水する機構により行われるものである請求項７または８に記載の腹膜透析方法。
【請求項１０】
前記浸透圧剤は、透析器の中空糸膜を通過しないものである請求項７〜９のいずれかに記載の腹膜透析装置。
【請求項１１】
前記浸透圧剤は、アルブミン、グルコースポリマー、デキストランからなる群から選択された少なくとも１種の化合物である請求項７〜１０のいずれかに記載の腹膜透析装置。
【発明の詳細な説明】
【０００１】
【発明が属する技術分野】
本発明は、カテーテルなどを用いて患者の腹腔内へ腹膜透析液を出し入れすることにより、患者血中の老廃物や水分を除去する腹膜透析装置および該方法に関する。より具体的には、患者の腹腔内に貯留された透析液の一部を体外へ移送し、外部透析器で積極的に該腹膜透析液から不要物質を除去して、再び腹腔内に該腹膜透析液を返送する腹膜透析法（ＣＲＰＤ：連続再循環腹膜透析法あるいはＢＰＤ：Ｂｉ−ｄｉｒｅｃｔｉｏｎａｌ　ｐｅｒｉｔｏｎｅａｌ　ｄｉａｌｙｓｉｓ）に使用する腹膜透析装置および該方法に関する。
【０００２】
【従来の技術】
哺乳動物の腎臓は、その正常な機能として、酸−塩基および電解質の平衡を定常的に維持し、体内の代謝による望ましくない物質を血液から除去する作用を有する。従来、腎臓機能が低下した患者に対して、血液透析や腹膜透析等が実施されている。血液透析においては、患者から取り出した血液を外部透析器中に注入し、該透析器中の選択的透過性膜、例えば酢酸セルロースから製造された中空糸膜の一方に該血液を接触させ、その反対側に血液透析液に接触させる。拡散の原理により血液中の老廃物が該血液透析液中へ上記膜を透過して移送され、水分は限外濾過により除去される。この治療は通常、病院の外来部門で実施され、患者は病院に長時間束縛されるとの問題がある。
【０００３】
一方、腹膜透析は、体外血液透析に代わる方法として十分に定着した方法であり、患者が病院で長時間束縛されることがなく、家庭にいながらにしてできるという利点がある。また、腹膜透析は、血液の体外循環が困難な患者においても有効な治療方法である。この腹膜透析においては、新鮮で、且つブドウ糖を大量に含む腹膜透析液を患者腹部の腹腔内に注入し、数時間貯留して、選択的透過性膜としての腹膜を通して患者の血中の代謝老廃物や水分を腹膜透析液中に移行させた後、該老廃物を含んだ腹膜透析液を腹腔から排出するというものである。しかしながら、該方法は腹膜硬化症を生じること、血液透析に比べて透析効率が低いために治療にかかる時間が長いこと、かつ市販の腹膜透析液は費用がかさむことなどの問題があった。
【０００４】
そこで、透析効率を上げることにより、治療時間の短縮および治療に係る費用の削減を図るために、多数の改良された腹膜透析方法が知られている。
例えば、米国特許第５，１４１，４９３号明細書には、患者の腹腔と腹膜透析液浄化回路を逆転可能ポンプの配置されたラインで接続し、連続的に腹膜透析液を浄化するシステムが開示されており、患者の腹腔内から移送された腹膜透析液は、腹膜透析液浄化回路内に配置された外部透析器で浄化され、再び腹腔内に戻されるようになっている。また、特表平９−５０１８６２号公報には、患者の腹腔と液体バッグを逆転可能ポンプの配置されたラインで接続したものが開示されており、患者の腹腔内から移送された腹膜透析液は、透析器（例えば中空糸膜型浄化器）を通過して、一旦、液体バッグに貯留された後、再び透析器を通過して腹腔内に戻されるようになっている。
上記２例の腹膜透析装置で用いられる腹膜透析液は、グルコースを浸透圧剤としており、このグルコースの浸透圧により腹膜毛細血管内を流れる血液との間で除水が行われている。しかしながら、このグルコース（分子量１８０）は腹膜透析液を外部透析器で浄化する際に中空糸膜を透過し、ほぼ１００％が腹膜透析液の外に出てしまうため、腹膜透析液の浸透圧（除水能力）を維持するために、透析中にグルコース注入器等を使用してグルコースを補給しなければならないという問題があった。
【０００５】
一方、外部透析器で浄化する際に、該透析器の中空糸膜を透過しないような浸透圧剤を含有させた腹膜透析液を用いた腹膜透析方法も開発されており（特開２０００−７２６５８号公報）、該浸透圧剤の具体例としては、アルブミン（分子量、約６９，０００）やグルコースポリマー、デキストラン等があげられている。このような腹膜透析液は、外部透析器で浄化する際に浸透圧剤が腹膜透析液の外に出るおそれはない。
しかし、このような腹膜透析液は患者の血中水分が該腹膜透析液中に移行することにより、該腹膜透析液中の浸透剤濃度が低下してしまうため、浸透圧剤を適宜補給するか、あるいは腹膜透析液を新しいものに交換する必要がある。浸透剤濃度が下がった腹膜透析液は浸透圧が低くなり、腹膜透析に用いても透析効率および除水効率が悪いため、再利用は困難であるからである。しかし、浸透圧剤は高価であるため、該浸透圧剤の補給、および該浸透圧剤を含む腹膜透析液の交換は、透析治療にかかるコストを増加させてしまう。
【０００６】
【発明が解決しようとする課題】
本発明は如上の事情に鑑みてなされたもので、透析効率および除水効率を上げることで透析治療にかかる時間を短縮させ、かつ、治療コストを抑えることが可能な腹膜透析装置およびこれを用いた方法を提供することを目的とする。
【０００７】
【課題を解決するための手段】
本発明者らは、上記課題を解決するために種々鋭意検討した結果、透析器の中空糸膜を通過しない浸透圧剤を含有する腹膜透析液を用い、該腹膜透析液中の浸透圧剤濃度を随時測定して、該濃度が所定の濃度になるように、外部透析器によって必要量の腹膜透析液中の水分を除去することにより、上記課題が解決できることを見出し、本発明に到達した。
【０００８】
すなわち、本発明は、患者の腹腔内の腹膜透析液を注入および排出しうるカテーテルと、該カテーテルに接続される腹膜透析液回路と、該腹膜透析液回路上に設けられる透析器とを有してなり、該透析器には内部を通過する腹膜透析液が中空糸膜を介して血液透析液に接しうるように血液透析液回路が接続されてなる腹膜透析装置において、該腹膜透析液回路上の透析器よりもカテーテル接続端側に、腹膜透析液中の浸透圧剤濃度を測定しうる手段が設けられてなり、該血液透析液回路には前記手段により測定される浸透圧剤濃度に応じて腹膜透析液から除水を行う機構が設けられてなることを特徴とする腹膜透析装置である。
【０００９】
また、本発明は、患者の腹腔内の腹膜透析液を注入および排出しうるカテーテルと、該カテーテルに接続される腹膜透析液回路と、該腹膜透析液回路上に設けられる透析器とを有してなり、該透析器には内部を通過する腹膜透析液が中空糸膜を介して血液透析液に接しうるように血液透析液回路が接続されてなる腹膜透析装置を用いた腹膜透析方法であって、
（ａ）患者から腹膜透析液を取り出して、該腹膜透析液中の浸透圧剤濃度ｃ１を測定し、
（ｂ）該腹膜透析液中の浸透圧剤濃度ｃ１が、所定の浸透圧剤濃度ｃ２になるために必要な腹膜透析液からの除水量ｕｆ１を算出し、
（ｃ）算出された除水量ｕｆ１に相当する水分を、腹膜透析液から透析器を介して除水した後、
（ｄ）該腹膜透析液を患者に再度注入する腹膜透析方法
である。
【００１０】
【発明の実施の形態】
以下に、本発明の腹膜透析装置を添付図面に示す好適な実施例に基づいて詳細に説明するが、本発明はこれらの説明に限定されるものではない。
図１は本発明の腹膜透析装置の第一の実施例を示す模式図であり、図２は本発明の腹膜透析装置の第二の実施例を示す模式図、また図３は本発明の第三の実施例を示す模式図である。
図１に示されるように、本発明の腹膜透析装置１は、患者に留置されるカテーテル（図示省略）と、該カテーテルに接続される腹膜透析液回路２、該腹膜透析液回路２上に設けられる透析器３、および該透析器３に接続される血液透析液回路４を有してなる。
【００１１】
カテーテルに接続される腹膜透析液回路２は、例えば塩化ビニルやポリオレフィン等の可撓性樹脂から形成されるチューブであり、安全性はもちろん、透明性や耐キンク性に優れたものである必要がある。該腹膜透析液回路２の全長は１０〜３００ｃｍであり、好ましくは１００〜２５０ｃｍである。全長が３００ｃｍよりも長いと、腹膜透析液が回路２内に残存して、腹腔に注入される腹膜透析液量が減少するおそれがあり、好ましくない。このようなチューブは、押出成形などの公知の方法により作製される。
【００１２】
前記腹膜透析液回路２上には、透析器３が設けられる。該透析器３は、多数の中空糸膜が束状になって装填され、腹膜透析液を適時流入および流出するケーシングからなる。該中空糸膜の束は、その端部が該ケーシングの端部で固化された合成高分子物質で作られた隔壁部材で支持されている。各中空糸膜の開口部は該隔離壁部材の外端面に開口されている。
該ケーシングには別途、血液透析液の流入口と流出口が設けられ、そこに血液透析液回路４が接続される。該透析器３では、中空糸膜の内側に腹膜透析液を、外側に血液透析液を流して、腹膜透析液と血液透析液とを該膜を介して接触させて透析を行い、透析液中の老廃物を除去する。この腹膜透析液の浄化により、該腹膜透析液を再利用した連続的腹膜透析が可能となる。
該中空糸膜は、セルロース系膜（酢酸セルロース、キュプロファンなど）、合成高分子膜（ポリアクリロニトリル、ポリメチルメタクリレート、エチレン・ビニルアルコール、ポリスルフォン、ポリアミドなど）などから製造された中空繊維であって、好ましくは分子量約２，０００〜７，０００、さらに好ましくは５，０００〜１０，０００の物質を透過させるものであることが好ましい。このような中空糸膜であれば、血液透析液に細菌が混入したとしても、細菌が該中空糸膜を通過して腹膜透析液中に侵入することを防止できる。
【００１３】
本発明で用いられる腹膜透析液は、前記中空糸膜を通過しない浸透圧剤を含有するものが好ましく用いられる。このような浸透圧剤としては、アルブミン、グルコースポリマーおよびデキストランからなる群から選ばれる少なくとも一つの化合物が好ましく、特にアルブミンが好ましい。
アルブミンの分子量は通常、約６９，０００である。アルブミンはヒト血清アルブミンであることが好ましく、遺伝子工学的に生産されたものであってもよい。アルブミン濃度は、腹膜透析液中、２０〜２５０ｇ／Ｌが好ましく、特に、従来、一般に使用されているブドウ糖を使用した腹膜透析液の浸透圧（膠質浸透圧を含む）の幅と同等の浸透圧になる７０〜１５０ｇ／Ｌが特に好ましい。アルブミン含有量が２０ｇ／Ｌ未満では、除水能が不十分になり、また、２５０ｇ／Ｌを越えると浸透圧が大きすぎて、患者にとって好ましくない。該腹膜透析液にはアルブミン安定化剤としてＮ−アセチルトリプトファン、カプリル酸ナトリウムなどを含有していてもよい。グルコースポリマーとしては、分子量が３０，０００〜８０，０００であるもの、例えば、分子量が約７５，０００のデキストラン部分加水分解物などが好ましい。
【００１４】
前記腹膜透析液は、浸透圧剤の他に、生理的に許容される電解質やｐＨ調整剤などを含み、全浸透圧が約２００〜約６００ｍＯｓｍ／Ｌ、好ましくは約２７０〜約５００ｍＯｓ／Ｌの溶液に調製される。
このような腹膜透析液は、例えば下記組成を有する。
アルブミン　　　　　（ｇ／Ｌ）　　　　約２０〜約２５０
ナトリウムイオン　　（ｍＥｑ／Ｌ）　　約１３０〜約１４０
カルシウムイオン　　（ｍＥｑ／Ｌ）　　約３．０〜約４．５
マグネシウムイオン　（ｍＥｑ／Ｌ）　　約０．５〜約２．０
塩素イオン　　　　　（ｍＥｑ／Ｌ）　　約９５〜約１１０
乳酸イオン　　　　　（ｍＥｑ／Ｌ）　　約３５〜約４０
【００１５】
本発明で用いられる血液透析液は、通常の血液透析で使用されているものが用いられる。血液透析液調製用剤は粉末または濃厚液の状態で提供されるため、これをＲＯ（逆浸透）水と混合し、所定濃度の血液透析液として調製された後、透析器３に供給される。
このような血液透析液は、例えば下記成分を含有している。
ナトリウム　　（ｍＥｑ／Ｌ）　約１３０〜約１４５
カリウム　　　（ｍＥｑ／Ｌ）　約２．０〜約２．５
カルシウム　　（ｍＥｑ／Ｌ）　約２．５〜約４．０
マグネシウム　（ｍＥｑ／Ｌ）　約１．０〜約１．５
クロル　　　　（ｍＥｑ／Ｌ）　約９５〜約１１５
重曹　　　　　（ｍＥｑ／Ｌ）　約２５〜約３０
ブドウ糖　　　（ｇ／Ｌ）　　　約９０〜約５００
【００１６】
本発明の腹膜透析装置１は、さらに浸透圧剤濃度を測定しうる手段５を有してなる。該手段５は、腹膜透析液回路２内を流通する腹膜透析液中に含まれる浸透圧剤の濃度を測定するものであり、好ましくは、腹膜透析液回路２上のカテーテル接続端近くに設けられる。該手段の具体例としては、超音波測定装置、屈折率計、吸光度計または導電率計などが用いられるが、必要があればこれらのうちの２種以上を用いてもよい。
【００１７】
また、本発明の腹膜透析装置１を構成する血液透析液回路４には、さらに除水機構６が設けられる。これは、前記浸透圧剤濃度測定手段５により測定される浸透圧剤の濃度が所定の濃度になるように、必要に応じて腹膜透析液から除水を行うためのものである。腹膜透析液中に含まれる浸透圧剤は高価であるため、なるべく腹膜透析液の外に出ないようにする必要がある。したがって、本発明では浸透圧剤として透析器３の中空糸膜を通過しないものを用いた腹膜透析液を使用し、該透析器３を介して腹膜透析液の除水を行う機構６が設けられている。腹膜透析液からの透析器３を介する除水は、血液透析液回路４に設けられたポンプにより行われる。
このような除水機構６の一例としては、透析器３への血液透析液流入路と透析器３からの血液透析液流出路にそれぞれポンプを設け、流出路側のポンプを流入路側のポンプよりも流量が多くなるように駆動させることにより、除水を行う機構が上げられる。
また別の除水機構６としては、透析器３への血液透析液の流入量と、透析器３からの血液透析液の流出量とが同量になるように制御しうるポンプ、例えばバランスチャンバや複式ポンプ等を血液透析液回路４上に配置し、血液透析液の流出路上で該ポンプよりも透析器３側に分岐路を設け、該分岐路上に設けられた除水ポンプを駆動させることにより、透析器３への血液透析液流入量よりも流出量を多くさせて除水を行う機構があげられる。
さらに別の除水機構６としては、ダイアフラムの移動に応じて血液透析液流入路側室と血液透析液流出路側室の容積を変更しうるビスカスポンプを設け、該流入路側室の容積を流出路側室の容積よりも小さくすることにより、透析器３への血液透析液流入量よりも流出量を多くさせて除水を行う機構（特公平３−５４５９１参照）があげられる。
【００１８】
本発明で用いられる腹膜透析液回路２のカテーテル接続端と反対側の端には、図１に示すように腹膜透析液源２１が設けられていてもよい。この腹膜透析液源２１は、腹膜透析治療中に患者の腹腔内に注入する腹膜透析液、および患者の腹腔内から排出された腹膜透析液を一時貯留するためのものである。その形状や材質については特に限定されないが、例えば塩化ビニルやポリオレフィン系樹脂等で作成された軟質バッグなどが用いられる。
前記腹膜透析液源２１が設ける代わりに、図２に示すように、カテーテルとして図１に示されるシングルルーメンカテーテルに代えてダブルルーメンカテーテルを採用し、該カテーテルの端にそれぞれのルーメンに連通しうる２本の腹膜透析液回路２を接続し、該２本の回路２が透析器４に接続されて閉回路を形成していてもよい。このような構成の腹膜透析装置１１は、患者の腹腔内の腹膜透析液の注入および排出が同時に行えるため、腹腔内の腹膜透析液の浸透圧剤濃度を徐々に変化させることができるという点で好ましい。
【００１９】
また、該腹膜透析液回路２上には、ポンプ２２が設けられていてもよい。腹膜透析液を患者の腹腔内に注入する際には、腹膜透析液源２１を患者の腹腔よりも高い位置に懸架するなどして、重力差により自然注入される場合がある。また、腹膜透析液を患者の腹腔内から排出する際には、該腹膜透析液源２１を患者の腹腔より低い位置に配置するなどして、重力差により自然排出される場合もある。しかし、該ポンプ２２を回路２上に設けることにより、腹膜透析液源２１の配置など、人の手で特別な操作を行うことなく、所定の速度により腹膜透析液の出し入れを行うことが可能となる。該ポンプとしては、ローラーポンプやフィンガーポンプ等の他、腹膜透析液源２１を直接加圧または減圧するチャンバー式ポンプなどが用いられる。
さらに、本発明の腹膜透析装置１には、腹膜透析液回路２上にドリップチャンバー２３や圧力計測手段、血液透析液回路４上に加温器や濃度測定手段、流量計など、腹膜透析を行う上で必要となる他の部品が設けられていてもよい。
【００２０】
本発明における、浸透圧剤濃度測定手段５と除水機構６とは、連動し得るものであることが好ましい。例えば、該浸透圧剤濃度測定手段５で測定された濃度ｃ１から、所定の浸透圧剤濃度ｃ２との差を計算し、この濃度差をなくすために必要な腹膜透析液の除水量ｕｆ１を算出し、該除水量ｕｆ１だけ腹膜透析液から除水を行うように除水機構６を作動させる、制御手段（図示せず）が設けられることが好ましい。
前記所定の浸透圧剤濃度ｃ２は、制御手段に記憶された患者固有の除水プログラム等により予め決定される。一般に、腹膜透析開始直後は患者の体内から腹膜透析液中に移行すべき水分量は多く、該浸透圧剤濃度ｃ２は高く設定されるが、腹膜透析を行うにつれて、患者の体内の水分量が減少してくるため、腹膜透析液中に移行すべき水分量は少なくなり、該浸透圧剤濃度ｃ２は低く設定される。
前記除水プログラムは患者の体重や、身長、性別や腹膜の水分透過性の他、腹膜透析を行う時間帯等により適宜決定されている。しかし、患者の体調変化などの影響により透析条件が変化した場合も、本発明の腹膜透析装置１は浸透圧剤濃度ｃ２を変化させることによって腹膜透析液中の浸透圧剤濃度を調整し、患者からの除水量を変更できる。また、浸透圧剤濃度測定手段５により測定された浸透圧剤濃度ｃ１により、その日の患者の状態を知ることも可能であり、その状態に合わせて除水プログラムを変更することで、より患者にふさわしい腹膜透析を行うことも可能である。
【００２１】
次に、本発明の腹膜透析装置を用いた腹膜透析方法について、図１を用いて説明する。
まず、公知の手段により患者の腹腔に留置されたカテーテルに腹膜透析装置１をセットする。患者の腹腔内に腹膜透析液が既に貯留されている場合のみ、ポンプ２２を正回転させて、患者の腹腔内から腹膜透析液を排出する操作を行う。この時、浸透圧剤濃度測定手段５により、該腹膜透析液中の浸透圧剤濃度ｃ１が測定される。
該腹膜透析液は透析器３を通過する際に中空糸膜を介して血液透析液と接触し、透析されることで液中の各成分濃度が調整される。前記浸透圧剤濃度ｃ１は制御手段（図示せず）によって所定の浸透圧剤濃度ｃ２と比較され、該腹膜透析液の浸透圧剤濃度ｃ１が濃度ｃ２になるために必要な、腹膜透析液からの除水量ｕｆ１が計算される。該除水量ｕｆ１だけ腹膜透析液中から除水を行うように除水機構６が駆動せしめられ、腹膜透析液中の水分は透析器３の中空糸膜を介して血液透析液中へと移動する。
透析および除水された腹膜透析液は、いったん腹膜透析液源２１に貯留される。患者からの規定量の腹膜透析液の排出が終了すれば、ポンプ２２が逆回転し、該腹膜透析液源２１に貯留された腹膜透析液が、再度患者の体内に注入される。この時、腹膜透析液は再度透析器３を通る際に透析および／または除水されるものであってもよい。
【００２２】
【発明の効果】
本発明の腹膜透析装置は、腹膜透析液中の浸透圧剤濃度ｃ１を測定し、該腹膜透析液の浸透圧剤濃度ｃ１が所定の浸透圧剤濃度ｃ２になるように、腹膜透析液中から必要量の除水を行うものである。したがって、該腹膜透析液の透析効率および除水効率が低下しないため、該腹膜透析液を繰り返し利用することができる。また、本発明は腹膜透析液を透析器を介して除水することにより、該腹膜透析液中の浸透圧剤を腹膜透析液外に出すことがないため、高価な浸透圧剤の追加補充が必要なく、治療コストを増加させるおそれがない。さらに、本発明の腹膜透析装置によれば、予め設定される腹膜透析液の浸透圧剤濃度ｃ２を変更することによって、患者の状態に合わせた浸透圧剤濃度の腹膜透析液を随時患者に注入できるため、患者にふさわしい透析条件で腹膜透析を行うことが可能となる。
【図面の簡単な説明】
【図１】本発明の腹膜透析装置の第一の実施例を示す模式図である。
【図２】本発明の腹膜透析装置の第二の実施例を示す模式図である。
【符号の説明】
１、１１　腹膜透析装置
２　腹膜透析液回路
３　透析器
４　血液透析液回路
５　浸透圧剤濃度測定手段
６　除水機構
【図１】
2004049350.tif 000003
【図２】
2004049350.tif 000004